(57)【特許請求の範囲】
【請求項１】
自己に供給された角度変調波を復調することにより未補正の復調信号を生成する復調手段と、
前記復調手段より前記未補正の復調信号を取得し、取得した前記未補正の復調信号の値に対応付けられた所定の値を有する信号を生成して、補正済み復調信号として出力する出力補正手段と、を備え、
前記補正済み復調信号の値は、前記角度変調波を理想的に復調して得られる理想復調信号の値を近似するものであり、
前記復調手段は、既知の波形を有するテスト用信号を取得して、当該テスト用信号を復調することによりテスト用復調信号を生成するものであり、
前記出力補正手段は、
前記テスト用復調信号を取得して、当該テスト用復調信号の値を用いて、前記未補正の復調信号の値を前記理想復調信号の値に対応付ける補正用関数を所定の次数の多項式で近似する近似用関数を決定する手段と、
前記近似用関数に前記未補正の復調信号の値を代入した結果を算出し、算出結果を示す信号を前記補正済み復調信号として生成し出力する手段と、を備える、
ことを特徴とする角度復調器。
【請求項２】
前記テスト用信号を生成する手段を更に備える、
ことを特徴とする請求項１に記載の角度復調器。
【請求項３】
前記復調手段は、クワドラチャ復調回路より構成されている、
ことを特徴とする請求項１又は２に記載の角度復調器。
【請求項４】
自己に供給された角度変調波を復調することにより未補正の復調信号を生成する外部の復調器より前記未補正の復調信号を取得する入力手段と、
前記入力手段が取得した前記未補正の復調信号の値に対応付けられた所定の値を有する信号を生成して、補正済み復調信号として出力する補正出力手段と、を備え、
前記補正済み復調信号の値は、前記角度変調波を理想的に復調して得られる理想復調信号の値を近似するものであり、
前記補正出力手段は、
既知の波形を有するテスト用信号を前記復調器が復調することにより生成されたテスト用復調信号を取得して、当該テスト用復調信号の値を用いて、前記未補正の復調信号の値を前記理想復調信号の値に対応付ける補正用関数を所定の次数の多項式で近似する近似用関数を決定する手段と、
前記近似用関数に前記未補正の復調信号の値を代入した結果を算出し、算出結果を示す信号を前記補正済み復調信号として生成し出力する手段と、を備える、
ことを特徴とする復調特性補正装置。
【請求項５】
コンピュータを、
自己に供給された角度変調波を復調することにより未補正の復調信号を生成する復調手段と、
前記復調手段より前記未補正の復調信号を取得し、取得した前記未補正の復調信号の値に対応付けられた所定の値を有する信号を生成して、補正済み復調信号として出力する出力補正手段と、
して機能させるためのプログラムを記録したコンピュータ読み取り可能な記録媒体であって、
前記補正済み復調信号の値は、前記角度変調波を理想的に復調して得られる理想復調信号の値を近似するものであり、
前記復調手段は、既知の波形を有するテスト用信号を取得して、当該テスト用信号を復調することによりテスト用復調信号を生成するものであり、
前記出力補正手段は、
前記テスト用復調信号を取得して、当該テスト用復調信号の値を用いて、前記未補正の復調信号の値を前記理想復調信号の値に対応付ける補正用関数を所定の次数の多項式で近似する近似用関数を決定する手段と、
前記近似用関数に前記未補正の復調信号の値を代入した結果を算出し、算出結果を示す信号を前記補正済み復調信号として生成し出力する手段と、を備える、
ことを特徴とする記録媒体。
【請求項６】
コンピュータを、
自己に供給された角度変調波を復調することにより未補正の復調信号を生成する外部の復調器より前記未補正の復調信号を取得する入力手段と、
前記入力手段が取得した前記未補正の復調信号の値に対応付けられた所定の値を有する信号を生成して、補正済み復調信号として出力する補正出力手段と、
して機能させるためのプログラムを記録したコンピュータ読み取り可能な記録媒体であって、
前記補正済み復調信号の値は、前記角度変調波を理想的に復調して得られる理想復調信号の値を近似するものであり、
前記補正出力手段は、
既知の波形を有するテスト用信号を前記復調器が復調することにより生成されたテスト用復調信号を取得して、当該テスト用復調信号の値を用いて、前記未補正の復調信号の値を前記理想復調信号の値に対応付ける補正用関数を所定の次数の多項式で近似する近似用関数を決定する手段と、
前記近似用関数に前記未補正の復調信号の値を代入した結果を算出し、算出結果を示す信号を前記補正済み復調信号として生成し出力する手段と、を備える、
ことを特徴とする記録媒体。
【発明の詳細な説明】
【０００１】
【発明の属する技術分野】
この発明は、角度復調器に関し、特に、復調出力の歪みが少ない角度復調器に関する。
【０００２】
【従来の技術】
ＦＭ（Ｆｒｅｑｕｅｎｃｙ  Ｍｏｄｕｌａｔｉｏｎ）変調波を復調するための復調器として、クワドラチャ復調器が用いられている。クワドラチャ復調器は、図６に示すように、例えば、乗算器１０１と、移相器１０２と、ローパスフィルタ１０３とより構成されている。
【０００３】
図６のクワドラチャ復調器が復調する対象のＦＭ変調波の時刻ｔにおける値ｖ１（ｔ）が数式１の右辺に示す値をとるとする。このとき、図６のクワドラチャ復調器の移相器１０２は、例えば、時刻ｔにおける値ｖ２（ｔ）が数式２の右辺に示す値をとる移相信号を生成する。
ただし、Ａ０はＦＭ変調波の振幅、ω０は搬送波の周波数、Ｓ（ｔ）は元の信号の時刻ｔにおける値、Ｍは最大周波数偏移、Δｔは移相器１０２による時間遅延の量である。
【０００４】
【数１】
ｖ１（ｔ）＝Ａ０・ｃｏｓ［（ω０・ｔ）＋｛Ｍ・Φ（ｔ）｝］
（ただし、Φ（ｔ）は、Ｓ（ｔ）を０からｔまで定積分した値）
【０００５】
【数２】
ｖ２（ｔ）＝Ａ０・ｓｉｎ［（ω０・ｔ）＋｛Ｍ・Φ（ｔ−Δｔ）｝］
【０００６】
そして、移相器１０２は移相信号を乗算器１０１に供給し、乗算器１０１は、復調する対象のＦＭ変調波と移相信号とより、時刻ｔにおける値が｛ｖ１（ｔ）・ｖ２（ｔ）｝に実質的に比例する積信号を生成する。そして、ローパスフィルタ１０３は、乗算器１０１が生成した積信号から、復調する対象のＦＭ変調波の周波数と移相信号の周波数の和にあたる周波数を有する成分を除去し、復調信号を生成する。
【０００７】
復調信号の時刻ｔにおける値Ｒ（ｔ）は、数式３の右辺が示す値に実質的に比例する。
【０００８】
【数３】
Ｒ（ｔ）＝−（Ａ０２／２）・［ｓｉｎ｛Ｍ・Ｓ（ｔ）｝］
【０００９】
【発明が解決しようとする課題】
クワドラチャ復調器は、復調する対象のＦＭ変調波がアナログ形式の信号であってもディジタル形式の信号であっても、簡単な構成により実現できる。
しかし、クワドラチャ復調器が出力する復調信号は、理論的には、数式３より明らかなように、ＦＭ変調された元の信号に比例する信号（つまり、ＦＭ変調波を理想的に復調して得られる信号）の正弦に比例するため、線形動作とみなせる範囲（線形動作範囲）に制限がある。従って、復調する対象のＦＭ変調波の周波数偏移が大きくクワドラチャ復調器の線形動作範囲よりも広い場合には、復調信号の歪率が増加する、という問題を有している。
【００１０】
この問題を解決する手法としては、クワドラチャ復調器に代えて、線形な復調特性を有するＦＭ復調器を用いる手法が考えられる。しかし、このようなＦＭ復調器は構成が複雑になる。
【００１１】
この問題を解決する他の手法としては、例えば、特開平５−１７５７３３号公報に開示されている手法がある。
特開平５−１７５７３３号公報の手法は、クワドラチャ復調器が生成した復調信号の値を所定の定数あるいはＦＭ変調波の入力信号レベルを２乗した値で除した上で、除算により得られた値を有する信号をアークサイン関数に代入した値を求めることにより、復調特性を補正する手法である。
【００１２】
しかし、クワドラチャ復調器が理想的に動作していない場合、復調信号は、ＦＭ変調された元の信号の正弦に比例する信号にならず、従って、時刻ｔにおける復調信号の値は、必ずしも上述のＲ（ｔ）の値に比例しない。このため、理想的に動作していないクワドラチャ復調器を用いて特開平５−１７５７３３号公報の手法を行った場合、補正後の復調信号の値は、ＦＭ変調された元の信号に比例したものにならない、という問題を生じる。
【００１３】
この発明は上記実状に鑑みてなされたもので、復調出力の歪みが軽減される角度復調器及び復調特性補正装置を提供することを目的とする。
また、この発明は、復調器に変更を加えることなく当該復調器の復調出力の歪みを軽減する復調特性補正装置を提供することも目的とする。
【００１４】
【課題を解決するための手段】
上記目的を達成するため、この発明の第１の観点にかかる角度復調器は、
自己に供給された角度変調波を復調することにより未補正の復調信号を生成する復調手段と、
前記復調手段より前記未補正の復調信号を取得し、取得した前記未補正の復調信号の値に対応付けられた所定の値を有する信号を生成して、補正済み復調信号として出力する出力補正手段と、を備え、
前記補正済み復調信号の値は、前記角度変調波を理想的に復調して得られる理想復調信号の値を近似するものであり、
前記復調手段は、既知の波形を有するテスト用信号を取得して、当該テスト用信号を復調することによりテスト用復調信号を生成するものであり、
前記出力補正手段は、
前記テスト用復調信号を取得して、当該テスト用復調信号の値を用いて、前記未補正の復調信号の値を前記理想復調信号の値に対応付ける補正用関数を所定の次数の多項式で近似する近似用関数を決定する手段と、
前記近似用関数に前記未補正の復調信号の値を代入した結果を算出し、算出結果を示す信号を前記補正済み復調信号として生成し出力する手段と、を備える、
ことを特徴とする。
【００１５】
このような角度復調器によれば、未補正の復調信号が元の信号あるいはその正弦に比例する信号にならない場合でも、補正済み復調信号の値は、理想復調信号の値を近似したものになる。すなわち、未補正の復調信号の歪みが軽減される。
【００１６】
補正用関数を多項式で近似することにより、出力補正手段は複雑な演算を行うことを要せずに補正済み復調信号の値を算出するので、前記角度復調器の構成は簡単になり、また、補正済み復調信号の値を算出する処理も高速になる。
【００１７】
前記角度変調器は、前記テスト用信号を生成する手段を更に備えるものであってもよい。
【００１８】
前記復調手段は、クワドラチャ復調回路より構成されているものであってもよい。クワドラチャ復調回路は構成が簡単であるため、復調手段がクワドラチャ復調回路より構成されていれば、前記角度復調器の構成は簡単になる。
【００１９】
また、この発明の第２の観点にかかる復調特性補正装置は、
自己に供給された角度変調波を復調することにより未補正の復調信号を生成する外部の復調器より前記未補正の復調信号を取得する入力手段と、
前記入力手段が取得した前記未補正の復調信号の値に対応付けられた所定の値を有する信号を生成して、補正済み復調信号として出力する補正出力手段と、を備え、
前記補正済み復調信号の値は、前記角度変調波を理想的に復調して得られる理想復調信号の値を近似するものであり、
前記補正出力手段は、
既知の波形を有するテスト用信号を前記復調器が復調することにより生成されたテスト用復調信号を取得して、当該テスト用復調信号の値を用いて、前記未補正の復調信号の値を前記理想復調信号の値に対応付ける補正用関数を所定の次数の多項式で近似する近似用関数を決定する手段と、
前記近似用関数に前記未補正の復調信号の値を代入した結果を算出し、算出結果を示す信号を前記補正済み復調信号として生成し出力する手段と、を備える、
ことを特徴とする。
【００２０】
このような復調特性補正装置によれば、未補正の復調信号が元の信号あるいはその正弦に比例する信号にならない場合でも、補正済み復調信号の値は、理想復調信号の値を近似したものになる。すなわち、未補正の復調信号の歪みが軽減される。
また、このような復調特性補正装置は、外部の復調器に変更を加えることなく未補正の復調信号の歪みを軽減する。
【００２１】
補正用関数を多項式で近似することにより、補正出力手段は複雑な演算を行うことを要せずに補正済み復調信号の値を算出するので、前記復調特性補正装置の構成は簡単になり、また、補正済み復調信号の値を算出する処理も高速になる。
【００２３】
また、この発明の第３の観点にかかるコンピュータ読み取り可能な記録媒体は、
コンピュータを、
自己に供給された角度変調波を復調することにより未補正の復調信号を生成する復調手段と、
前記復調手段より前記未補正の復調信号を取得し、取得した前記未補正の復調信号の値に対応付けられた所定の値を有する信号を生成して、補正済み復調信号として出力する出力補正手段と、
して機能させるためのプログラムを記録したコンピュータ読み取り可能な記録媒体であって、
前記補正済み復調信号の値は、前記角度変調波を理想的に復調して得られる理想復調信号の値を近似するものであり、
前記復調手段は、既知の波形を有するテスト用信号を取得して、当該テスト用信号を復調することによりテスト用復調信号を生成するものであり、
前記出力補正手段は、
前記テスト用復調信号を取得して、当該テスト用復調信号の値を用いて、前記未補正の復調信号の値を前記理想復調信号の値に対応付ける補正用関数を所定の次数の多項式で近似する近似用関数を決定する手段と、
前記近似用関数に前記未補正の復調信号の値を代入した結果を算出し、算出結果を示す信号を前記補正済み復調信号として生成し出力する手段と、を備える、
ことを特徴とする。
【００２４】
このような記録媒体に記録されたプログラムを実行するコンピュータは、未補正の復調信号が元の信号あるいはその正弦に比例する信号にならない場合でも、補正済み復調信号の値を、理想復調信号の値を近似したものへと補正する。すなわち、未補正の復調信号の歪みを軽減する。
【００２５】
また、この発明の第４の観点にかかるコンピュータ読み取り可能な記録媒体は、
コンピュータを、
自己に供給された角度変調波を復調することにより未補正の復調信号を生成する外部の復調器より前記未補正の復調信号を取得する入力手段と、
前記入力手段が取得した前記未補正の復調信号の値に対応付けられた所定の値を有する信号を生成して、補正済み復調信号として出力する補正出力手段と、
して機能させるためのプログラムを記録したコンピュータ読み取り可能な記録媒体であって、
前記補正済み復調信号の値は、前記角度変調波を理想的に復調して得られる理想復調信号の値を近似するものであり、
前記補正出力手段は、
既知の波形を有するテスト用信号を前記復調器が復調することにより生成されたテスト用復調信号を取得して、当該テスト用復調信号の値を用いて、前記未補正の復調信号の値を前記理想復調信号の値に対応付ける補正用関数を所定の次数の多項式で近似する近似用関数を決定する手段と、
前記近似用関数に前記未補正の復調信号の値を代入した結果を算出し、算出結果を示す信号を前記補正済み復調信号として生成し出力する手段と、を備える、
ことを特徴とする。
【００２６】
このような記録媒体に記録されたプログラムを実行するコンピュータは、未補正の復調信号が元の信号あるいはその正弦に比例する信号にならない場合でも、補正済み復調信号の値を、理想復調信号の値を近似したものへと補正する。すなわち、未補正の復調信号の歪みを軽減する。
また、このような記録媒体に記録されたプログラムを実行するコンピュータは、外部の復調器に変更を加えることなく未補正の復調信号の歪みを軽減する。
【００２７】
【発明の実施の形態】
以下、この発明の実施の形態にかかる角度復調器を、ＦＭ（Ｆｒｅｑｕｅｎｃｙ  Ｍｏｄｕｌａｔｉｏｎ）復調器を例として説明する。
図１は、この発明の実施の形態にかかるＦＭ復調器の構成の一例を示す。
図示するように、このＦＭ復調器は、ＦＭ復調部１と、補正部２とより構成される。
【００２８】
ＦＭ復調部１は、例えば、図６に示す構成と実質的に同一の構成を有するクワドラチャ復調器より構成され、入力端及び出力端を備えている。ＦＭ復調部１は、自己の入力端に供給されたＦＭ変調波を復調し、復調により得られる復調信号（以下、未補正の復調信号と呼ぶ）を、自己の出力端より出力する。
【００２９】
ＦＭ復調部１が出力する未補正の復調信号の時刻ｔにおける値は、理論的には、数式３の右辺が示す値Ｒ（ｔ）に実質的に比例する。しかし、ＦＭ復調部１が出力する未補正の復調信号の値は必ずしもＲ（ｔ）の値に比例した値をとらず、ＦＭ復調部１を構成するクワドラチャ復調器が有する特性に従って、所定の歪みを受ける。
【００３０】
以下では、ＦＭ復調部１の入力端に供給されたＦＭ変調波の時刻ｔにおける値が上述のｖ１（ｔ）である場合にＦＭ復調部１が出力する未補正の復調信号の、時刻ｔにおける実際の値を、Ｑ｛Ｓ（ｔ）｝として表すものとする。（なお、以下では、関数Ｑ｛Ｓ（ｔ）｝を、ＦＭ復調部１の復調特性を表す関数と呼ぶ。）
【００３１】
補正部２は、関数演算回路等より構成されており、入力端及び出力端を備え、自己の入力端に供給された未補正の復調信号を補正し、補正により生成された信号（補正後の復調信号）を自己の出力端より出力する。
補正部２の入力端に供給された信号が時刻ｔにおいて表す値をｆ（ｔ）とすると、補正部２の出力端より出力される補正後の復調信号が時刻ｔにおいて表す値ｇ（ｔ）は、数式４の右辺に示す値となる。ただし、Ｑ−１（β）は、関数Ｑ（α）の逆関数であり（ただし、α及びβは変数とする）、予め実測されたＦＭ復調部１の復調特性に基づいて予め特定されている。
【００３２】
【数４】
ｇ（ｔ）＝Ｑ−１｛ｆ（ｔ）｝
【００３３】
このＦＭ復調器の入力端（すなわち、ＦＭ復調部１の入力端）に、外部からＦＭ変調波を供給すると、ＦＭ復調部１は、自己の入力端に供給されたこのＦＭ変調波を復調して未補正の復調信号を生成し、出力する。
このＦＭ復調器の入力端に供給されたＦＭ変調波の時刻ｔにおける値が上述のｖ１（ｔ）に実質的に等しければ、未補正の復調信号の時刻ｔにおける値は、Ｑ｛Ｓ（ｔ）｝に実質的に等しい値となる。
【００３４】
補正部２は、自己の入力端に供給された未補正の復調信号を補正することにより補正後の復調信号を生成して出力する。未補正の復調信号の時刻ｔにおける値がＱ｛Ｓ（ｔ）｝に実質的に等しければ、補正部２の出力端より出力される補正後の復調信号の時刻ｔにおける値は、Ｓ（ｔ）に実質的に等しくなる。
【００３５】
以上説明した動作を行うことにより、このＦＭ復調器は、このＦＭ復調器の入力端に供給されたＦＭ変調波の時刻ｔにおける値が上述のｖ１（ｔ）に実質的に等しいとき、時刻ｔにおける値がＳ（ｔ）に実質的に等しい復調信号を出力する。
【００３６】
なお、このＦＭ復調器の構成は、上述のものに限られない。
例えば、このＦＭ復調器は、ＦＭ復調部１に供給する対象の入力信号に任意の処理を施し、処理を施された入力信号をＦＭ復調部１の入力端へと供給する装置を備えていてもよい。
【００３７】
また、補正部２の構成は任意であり、必ずしも関数演算回路から構成されている必要はない。従って、補正部２は、例えば図２に示すように、Ａ／Ｄ（Ａｎａｌｏｇ−ｔｏ−Ｄｉｇｉｔａｌ）変換部２１と、信号処理部２２と、Ｄ／Ａ（Ｄｉｇｉｔａｌ−ｔｏ−Ａｎａｌｏｇ）変換部２３とより構成されていてもよい。
【００３８】
図２に示す補正部２のＡ／Ｄ変換部２１は、ＦＭ復調部１より供給された未補正の復調信号を、図示しないサンプリング用発振器が発生するサンプリング信号に従ってサンプリングしてディジタル信号に変換し、信号処理部２２へと供給する。
【００３９】
信号処理部２２は、ＣＰＵ（Ｃｅｎｔｒａｌ  Ｐｒｏｃｅｓｓｉｎｇ  Ｕｎｉｔ）及び／又はＤＳＰ（Ｄｉｇｉｔａｌ  Ｓｉｇｎａｌ  Ｐｒｏｃｅｓｓｏｒ）などより構成されている。信号処理部２２は、Ａ／Ｄ変換部２１より供給されたディジタル信号が表す値を、ＦＭ復調部１の復調特性を表す関数の逆関数に代入した値（すなわち、補正後の復調信号の値）を求める処理を実行する。そして、この処理の結果得られた補正後の復調信号の値を表すディジタル信号を生成し、ディジタル形式で表された補正後の復調信号として、Ｄ／Ａ変換部２３に供給する。
【００４０】
信号処理部２２が、補正後の復調信号の値を求めるために実行する処理は、例えば、当該逆関数を多項式により近似する任意の近似用関数に、Ａ／Ｄ変換部２１より供給されたディジタル信号が表す値を代入する処理であればよい。なお、この近似用関数は、例えば、このＦＭ復調器の製造者等が予めＦＭ復調部１の復調特性を実測することにより特定すればよい。
【００４１】
なお、信号処理部２２が固定小数点型ＤＳＰより構成されている等の理由で扱える数値の範囲が限られている場合、当該範囲を超えた数値を扱うと、オーバーフロー又はアンダーフローを発生し、演算結果を正しく得ることができない。
この場合は、多項式の値を求める処理中、当該範囲を超えた数値を扱わないようにする必要がある。
【００４２】
具体的には、例えばＡ／Ｄ変換部２１より供給されるディジタル信号が表す値をｘとし、補正後の復調信号の値を表す近似用関数をｙ（ｘ）として、ｙ（ｘ）の値が数式５の右辺に示す値であったとする。
【００４３】
【数５】
ｙ（ｘ）＝（５．４２・ｘ３）−（０．００２４・ｘ２）＋（１．８２６９・ｘ）−０．０００１
【００４４】
そして、信号処理部２２が扱える値の範囲が−１から１までの範囲であったとし、また、ｘの取り得る値の範囲が−０．４から０．４までの範囲であったとする。この場合、信号処理部２２は、まず数式６の右辺を計算し、得られた値ｕを数式７の最右辺に代入することにより、ｙ（ｘ）の値を求めればよい。
【００４５】
【数６】
ｕ＝２・ｘ
【数７】
0003609320.tif 000002
【００４６】
あるいは、波形が既知のテスト用変調波を生成する外部の装置が、このテスト用変調波を、信号処理部２２の制御に従って、図示しない伝送路を経由してＦＭ復調部１の入力端に供給し、信号処理部２２が、この結果Ａ／Ｄ変換部２１より供給されたディジタル信号が表す値を複数記憶した上、記憶した値を用い、最小二乗法等の手法を用いて、当該近似用関数を求めるようにしてもよい。
【００４７】
Ｄ／Ａ変換部２３は、上述のサンプリング用発振器が生成するサンプリング信号に従って、自己の出力端に、自己の入力端にもっとも新しく供給されたディジタル信号が示す値を有するアナログ信号を、アナログ形式で表された補正後の復調信号として、このＦＭ復調器の出力端へと出力する。
【００４８】
また、図２の構成の補正部２は、図３に示すように、テーブル記憶部２４を備えていてもよい。
テーブル記憶部２４は、ＲＯＭ（Ｒｅａｄ  Ｏｎｌｙ  Ｍｅｍｏｒｙ）等より構成されており、Ａ／Ｄ変換部２１より供給されるディジタル信号が表す値の候補と、この値をＦＭ復調部１の復調特性を表す関数の逆関数（又は当該逆関数を近似する任意の関数）に代入した値とを、互いに対応付けて記憶する。そして、自己が記憶する値を、信号処理部２２の指示に従って出力する。
【００４９】
補正部２が図３に示す構成を有しているとき、信号処理部２２が補正後の復調信号の値を求めるために実行する処理は、例えば、信号処理部２２が、Ａ／Ｄ変換部２１より供給されたディジタル信号が表す値をキーとして、テーブル記憶部２４が記憶する値を検索し、キーとした値に対応付けられた値を索出する処理であればよい。この場合、索出された値が、補正後の復調信号の値となる。
【００５０】
更に、ＦＭ復調部１も、ＤＳＰ及び／又はＣＰＵから構成されていてもよい。ＦＭ復調部１がＤＳＰ及び／又はＣＰＵから構成されている場合、このＦＭ復調器は、例えば図４に示す構成を有していればよい。
【００５１】
図４の構成のＦＭ復調器は、図示するように、Ａ／Ｄ変換部３１と、Ｄ／Ａ変換部３４と、ＦＭ復調部３２及び信号処理部３３の機能を行うＤＳＰ及び／又はＣＰＵとより構成される。
このうちＡ／Ｄ変換部３１及びＤ／Ａ変換部３４は、図２あるいは図３におけるＡ／Ｄ変換部２１及びＤ／Ａ変換部２３と実質的に同一のものである。
【００５２】
Ａ／Ｄ変換部３１は、復調する対象のＦＭ変調波を、図示しないサンプリング用発振器が発生するサンプリング信号に従ってサンプリングしてディジタル信号に変換し、ＦＭ復調部３２へと供給する。
【００５３】
ＦＭ復調部３２は、Ａ／Ｄ変換部３１より供給されたディジタル形式のＦＭ変調波を復調し、復調により得られるディジタル形式の未補正の復調信号を、信号処理部３３に供給する。
【００５４】
信号処理部３３は、図２の信号処理部２２と実質的に同一の処理を行うことにより、ＦＭ復調部３２より供給されたディジタル形式の未補正の復調信号が表す値を、ＦＭ復調部３２の復調特性を表す関数の逆関数に代入した値を求める。そして、求められた補正後の復調信号の値を表すディジタル信号を生成し、ディジタル形式で表された補正後の復調信号として、Ｄ／Ａ変換部３４に供給する。
【００５５】
Ｄ／Ａ変換部３４は、Ａ／Ｄ変換部３１のサンプリングのタイミングを決定している上述のサンプリング信号に従って、信号処理部３３からもっとも新しく供給されたディジタル信号が示す値を有するアナログ信号を、アナログ形式で表された補正後の復調信号として出力する。
【００５６】
また、図４の構成のＦＭ復調器は、例えば図５に示すように、図３のテーブル記憶部２４と実質的に同一のテーブル記憶部３５を備えていてもよい。
ただし、テーブル記憶部３５は、ＦＭ復調部３２より供給されるディジタル信号が表す値の候補と、この値をＦＭ復調部３２の復調特性を表す関数の逆関数（又は当該逆関数を近似する任意の関数）に代入した値とを、互いに対応付けて記憶するものとする。
【００５７】
図５の構成のＦＭ復調器においては、信号処理部３３が補正後の復調信号の値を求めるために実行する処理は、例えば、信号処理部３３が、ＦＭ復調部３２より供給されたディジタル信号が表す値をキーとして、テーブル記憶部３５が記憶する値を検索し、キーとした値に対応付けられた値を補正後の復調信号の値として索出する処理であればよい。
【００５８】
なお、このＦＭ復調器がディジタル形式のＦＭ変調波を外部から取得するものである場合、Ａ／Ｄ変換部３１は不要であり、また、ディジタル形式の補正後の復調信号を出力するものとする場合、Ｄ／Ａ変換部３４は不要である。
【００５９】
以上、この発明の実施の形態にかかるＦＭ復調器を説明したが、この発明にかかる角度復調器及び復調特性補正装置は、専用のシステムによらず、通常のコンピュータシステムを用いて実現可能である。例えば、Ａ／Ｄ変換器及びＤ／Ａ変換器を備えるパーソナルコンピュータに、上述の動作を実行するためのプログラムを格納した媒体（フロッピーディスク、ＣＤ−ＲＯＭ等）から該プログラムをインストールすることにより、上述の処理を実行するＦＭ復調器を構成することができる。
【００６０】
また、例えば、通信ネットワークの掲示板（ＢＢＳ）に該プログラムを掲示し、これをネットワークを介して配信してもよく、また、該プログラムを表す信号により搬送波を変調し、得られた変調波を伝送し、この変調波を受信した装置が変調波を復調して該プログラムを復元するようにしてもよい。
そして、このプログラムを起動し、ＯＳの制御下に、他のアプリケーションプログラムと同様に実行することにより、上述の処理を実行することができる。
【００６１】
なお、ＯＳが処理の一部を分担する場合、あるいは、ＯＳが本願発明の１つの構成要素の一部を構成するような場合には、記録媒体には、その部分を除いたプログラムを格納してもよい。この場合も、その記録媒体には、コンピュータが実行する各機能又はステップを実行するためのプログラムが格納されているものとする。
【００６２】
【発明の効果】
以上説明したように、この発明によれば、復調出力の歪みが軽減される角度復調器及び復調特性補正装置が実現される。
また、この発明によれば、復調器に変更を加えることなく当該復調器の復調出力の歪みを軽減する復調特性補正装置が実現される。
【図面の簡単な説明】
【図１】この発明の実施の形態にかかるＦＭ復調器の基本構成を示すブロック図である。
【図２】図１のＦＭ復調器の変形例の基本構成を示すブロック図である。
【図３】図２のＦＭ復調器の変形例の基本構成を示すブロック図である。
【図４】図１のＦＭ復調器の変形例の基本構成を示すブロック図である。
【図５】図４のＦＭ復調器の変形例の基本構成を示すブロック図である。
【図６】クワドラチャ復調器の基本構成を示すブロック図である。
【符号の説明】
１、３２        ＦＭ復調部
２              補正部
２１、３１      Ａ／Ｄ変換部
２２、３３      信号処理部
２３、３４      Ｄ／Ａ変換部
２４、３５      テーブル記憶部
【図１】
0003609320.tif 000003
【図２】
0003609320.tif 000004
【図３】
0003609320.tif 000005
【図４】
0003609320.tif 000006
【図５】
0003609320.tif 000007
【図６】
0003609320.tif 000008